(57)【要約】【課題】高品位な画像表示を行う電気光学装置を供給する事。【解決手段】電子機器は第一パネル２０１と第二パネル２０２と有する。第一パネル２０１と第二パネル２０２とには走査線駆動回路が設けられ、走査線駆動回路はｍ本の走査線からｋ本の走査線をｋ本毎に選択するライングループ走査を実行できる。第一パネル２０１に供給される第一スタートパルス信号と第二パネル２０２に供給される第二スタートパルス信号とは、ライングループ走査の水平走査期間の半分の整数倍だけ時間的にずらす事ができる。又、両パネルに供給されるクロック信号は、同一周期で、位相が異ならせる事ができる。更に両パネルに供給されるイネイブル信号を異ならせる事ができる。こうすると、ライングループ走査を用いて高精細な画像を高速度で表示する際にも、表示画像位置の微調整が可能で、高品位な画像表示を行う事ができる。【選択図】図１
2014081505.tif 000002
【特許請求の範囲】
【請求項１】
第一表示領域を備える第一電気光学装置と、
第二表示領域を備える第二電気光学装置と、
前記第一表示領域に表示される第一画像の表示位置と前記第二表示領域に表示される第二画像の表示位置とを制御する制御装置と、前記第一画像と前記第二画像とを合成する合成装置とを有し、
前記第一電気光学装置は、
前記第一表示領域に配置されたｍ1本の走査線（ｍ1は３以上の整数）と、
前記ｍ1本の走査線をｋ本ずつ順番に選択するライングループ走査（ｋは２以上の整数）を実行する第一走査線駆動回路を含み、
前記第二電気光学装置は、
前記第二表示領域に配置されたｍ2本の走査線（ｍ2は３以上の整数）と、
前記ｍ2本の走査線をｋ本ずつ順番に選択するライングループ走査を実行する第二走査線駆動回路を含み、
前記制御装置は、
前記第一走査線駆動回路に、第一スタートパルス信号と、前記第一スタートパルス信号をシフトするために用いられる第一クロック信号と、前記第一クロック信号によりシフトされた信号と論理合成される第一イネイブル信号とを供給し、
前記第二走査線駆動回路に、第二スタートパルス信号と、前記第二スタートパルス信号をシフトするために用いられる第二クロック信号と、前記第二クロック信号によりシフトされた信号と論理合成される第二イネイブル信号とを供給する供給部と、
前記第二画像の表示位置を前記走査線１本分ずらす場合に、
前記第二スタートパルス信号の位相を、前記ライングループ走査の１水平走査期間の半分ずらし、
前記第二クロック信号の位相を、前記ライングループ走査の１水平走査期間の半分ずらし、
前記第二イネイブル信号の位相を、前記ライングループ走査の１水平走査期間分ずらす制御部と、を備えることを特徴とする電子機器。
【請求項２】
前記制御装置は、少なくとも設定値を記憶する記憶回路を有し、前記制御部は、前記設定値により位相を制御する事を特徴とする請求項１に記載の電子機器。
【請求項３】
前記第一スタートパルス信号と、前記第一クロック信号と、前記第一イネイブル信号と、前記第二スタートパルス信号と、前記第二クロック信号と、前記第二イネイブル信号とは複数の出力パターンを有し、
前記制御装置は、前記設定値に応じて、前記複数の出力パターンから最適な出力パターンとなる制御信号を供給する事を特徴とする請求項２に記載の電子機器。
【請求項４】
第一表示領域を備える第一電気光学装置と、
第二表示領域を備える第二電気光学装置と、
前記第一表示領域に表示される第一画像と前記第二表示領域に表示される第二画像とを合成する合成装置とを有し、
前記第一電気光学装置は、
前記第一表示領域に配置されたｍ1本の走査線（ｍ1は３以上の整数）と、
前記ｍ1本の走査線をｋ本ずつ順番に選択するライングループ走査（ｋは２以上の整数）を実行する第一走査線駆動回路を含み、
前記第二電気光学装置は、
前記第二表示領域に配置されたｍ2本の走査線（ｍ2は３以上の整数）と、
前記ｍ2本の走査線をｋ本ずつ順番に選択するライングループ走査を実行する第二走査線駆動回路を含む電子機器に用いられ、前記第一画像の表示位置と前記第二画像の表示位置とを制御する制御装置であって、
前記制御装置は、
前記第一走査線駆動回路に、第一スタートパルス信号と、前記第一スタートパルス信号をシフトするために用いられる第一クロック信号と、前記第一クロック信号によりシフトされた信号と論理合成される第一イネイブル信号とを供給し、
前記第二走査線駆動回路に、第二スタートパルス信号と、前記第二スタートパルス信号をシフトするために用いられる第二クロック信号と、前記第二クロック信号によりシフトされた信号と論理合成される第二イネイブル信号とを供給する供給部と、
前記第二画像の表示位置を前記走査線１本分ずらす場合に、
前記第二スタートパルス信号の位相を、前記ライングループ走査の１水平走査期間の半分ずらし、
前記第二クロック信号の位相を、前記ライングループ走査の１水平走査期間の半分ずらし、
前記第二イネイブル信号の位相を、前記ライングループ走査の１水平走査期間分ずらす制御部と、を備えることを特徴とする電子機器の制御装置。
【請求項５】
第一表示領域を備える第一電気光学装置と、
第二表示領域を備える第二電気光学装置と、
前記第一表示領域に表示される第一画像の表示位置と前記第二表示領域に表示される第二画像の表示位置とを制御する制御装置と、前記第一画像と前記第二画像とを合成する合成装置とを有し、
前記第一電気光学装置は、
前記第一表示領域に配置されたｍ1本の走査線（ｍ1は３以上の整数）と、
前記ｍ1本の走査線をｋ本ずつ順番に選択するライングループ走査（ｋは２以上の整数）を実行する第一走査線駆動回路を含み、
前記第二電気光学装置は、
前記第二表示領域に配置されたｍ2本の走査線（ｍ2は３以上の整数）と、
前記ｍ2本の走査線をｋ本ずつ順番に選択するライングループ走査を実行する第二走査線駆動回路を含む電子機器の駆動方法であって、
前記第一走査線駆動回路に、第一スタートパルス信号と、前記第一スタートパルス信号をシフトするために用いられる第一クロック信号と、前記第一クロック信号によりシフトされた信号と論理合成される第一イネイブル信号とを供給し、
前記第二走査線駆動回路に、第二スタートパルス信号と、前記第二スタートパルス信号をシフトするために用いられる第二クロック信号と、前記第二クロック信号によりシフトされた信号と論理合成される第二イネイブル信号とを供給し、
前記第二画像の表示位置を前記走査線１本分ずらす場合に、
前記第二スタートパルス信号の位相を、前記ライングループ走査の１水平走査期間の半分ずらし、
前記第二クロック信号の位相を、前記ライングループ走査の１水平走査期間の半分ずらし、
前記第二イネイブル信号の位相を、前記ライングループ走査の１水平走査期間分ずらすことを特徴とする電子機器の駆動方法。
【請求項６】
第一電気光学装置と第二電気光学装置とには制御信号が供給され、
前記第一電気光学装置と前記第二電気光学装置とは、一枚のフレーム画像を第一フィールド画像と第二フィールド画像とで形成し、
前記第一電気光学装置は、ｍ1本の走査線を含む第一表示領域と（ｍ1は３以上の整数）、第一走査線駆動回路と、を有し、
前記第一走査線駆動回路は、前記ｍ1本の走査線から２本の走査線を２本毎に選択するラインペア走査を実行する回路を含み、
前記第二電気光学装置は、ｍ2本の走査線を含む第二表示領域と（ｍ2は３以上の整数）、第二走査線駆動回路と、を有し、
前記第二走査線駆動回路は、前記ｍ2本の走査線から２本の走査線を２本毎に選択するラインペア走査を実行する回路を含み、
前記制御信号は、第一走査線駆動回路に供給される第一スタートパルス信号と、第一走査線駆動回路に供給される第一クロック信号と、第一走査線駆動回路に供給される第一イネイブル信号と、第二走査線駆動回路に供給される第二スタートパルス信号と、第二走査線駆動回路に供給される第二クロック信号と、第二走査線駆動回路に供給される第二イネイブル信号と、を含み、
前記第一スタートパルス信号と前記第二スタートパルス信号とは、前記ラインペア走査の水平走査期間の半分の整数倍だけ時間的にずれ、
前記第一クロック信号と前記第二クロック信号とは、同一の周期で、位相が異なっており、
前記第一イネイブル信号と前記第二イネイブル信号とは、異なっており、
前記第一フィールド画像と前記第二フィールド画像とは前記ラインペア走査を用いて形成され、
前記第一フィールド画像は、前記フレーム画像の奇数行の画像信号を用いて形成された画像（奇数画像）か、前記フレーム画像の偶数行の画像信号を用いて形成された画像（偶数画像）かであり、
前記第二フィールド画像は、前記第一フィールド画像が前記奇数画像の際には前記偶数画像であり、前記第一フィールド画像が前記偶数画像の際には前記奇数画像であり、
前記第一フィールド画像形成時におけるラインペア走査と前記第二フィールド画像形成時におけるラインペア走査とでは、走査線が一行ずれている事を特徴とする電気光学装置の駆動方法。
【請求項７】
第一電気光学装置と第二電気光学装置とには制御信号が供給され、
前記第一電気光学装置と前記第二電気光学装置とは、一枚のフレーム画像を第一フィールド画像と第二フィールド画像とで形成し、
前記第一電気光学装置は、ｍ1本の走査線を含む第一表示領域と（ｍ1は３以上の整数）、第一走査線駆動回路と、を有し、
前記第一走査線駆動回路は、前記ｍ1本の走査線から２本の走査線を２本毎に選択するラインペア走査と、前記ｍ1本の走査線から１本の走査線を２本毎に選択する飛び越し走査とを、実行する回路を含み、
前記第二電気光学装置は、ｍ2本の走査線を含む第二表示領域と（ｍ2は３以上の整数）、第二走査線駆動回路と、を有し、
前記第二走査線駆動回路は、前記ｍ2本の走査線から２本の走査線を２本毎に選択するラインペア走査と、前記ｍ2本の走査線から１本の走査線を２本毎に選択する飛び越し走査とを、実行する回路を含み、
前記制御信号は、第一走査線駆動回路に供給される第一スタートパルス信号と、第一走査線駆動回路に供給される第一クロック信号と、第一走査線駆動回路に供給される第一イネイブル信号と、第二走査線駆動回路に供給される第二スタートパルス信号と、第二走査線駆動回路に供給される第二クロック信号と、第二走査線駆動回路に供給される第二イネイブル信号と、を含み、
前記ラインペア走査時に、前記第一スタートパルス信号と前記第二スタートパルス信号とは、前記ラインペア走査の水平走査期間の半分の整数倍だけ時間的にずらされ、
前記ラインペア走査時に、前記第一クロック信号と前記第二クロック信号とは、同一の周期で、位相が異ならせられ、
前記ラインペア走査時に、前記第一イネイブル信号と前記第二イネイブル信号とは、異なっており、
前記第一フィールド画像は前記ラインペア走査を用いて形成され、前記第二フィールド画像は前記飛び越し走査を用いて形成され、
前記第一フィールド画像は、前記フレーム画像の奇数行の画像信号を用いて形成された画像（奇数画像）か、前記フレーム画像の偶数行の画像信号を用いて形成された画像（偶数画像）かであり、
前記第二フィールド画像は、前記第一フィールド画像が前記奇数画像の際には前記偶数画像であり、前記第一フィールド画像が前記偶数画像の際には前記奇数画像である事を特徴とする電気光学装置の駆動方法。
【発明の詳細な説明】
【技術分野】
【０００１】
本発明は、電子機器、電子機器の制御装置、電子機器の駆動方法、及び電気光学装置の駆動方法に関する。
【背景技術】
【０００２】
プロジェクターは、透過型電気光学装置や反射型電気光学装置に光を照射し、これらの電気光学装置により変調された透過光や反射光をスクリーン上に投射する電子機器である。これは光源から発せられた光を電気光学装置に集光して入射させ、電気信号に応じて変調された透過光又は反射光を、投射レンズを通じて、スクリーンに拡大投射する様に構成される物で、大画面を表示するとの長所を有している。この様な電子機器に使用される電気光学装置としては液晶装置が知られており、これは液晶の誘電異方性と液晶層における光の旋光性とを利用して画像を形成するものである。カラー画像を表示するには、赤色用の液晶装置と緑色用の液晶装置と青色用の液晶装置との三枚の液晶装置を用いて、赤色画像と緑色画像と青色画像とを重ねてスクリーンに投射している。
【０００３】
スクリーン上ではこれら三枚の画像の位置は一致せねばならない。画像の位置を調整する技術の一例は特許文献１に記載されている。特許文献１の技術は電気的アライメントとして知られており、液晶装置に供給する信号を変える事で、有効画面内で画像が表示される位置を調整するものである。
一方、液晶装置には、その表示方法に応じて、走査線が一本ずつ選択される場合と、特許文献２に記載されている様に、二本ずつ選択される場合とがある。
【先行技術文献】
【特許文献】
【０００４】
【特許文献１】特開平８−１０２９０１号公報
【特許文献２】特開２０１２−４９６４５号公報
【発明の概要】
【発明が解決しようとする課題】
【０００５】
しかしながら、特許文献２に記載されている走査線を二本ずつ選択する表示方法を取る液晶装置に、特許文献１に記載されている電気的アライメントの方法を適応させると、表示される画像の位置が、必ず走査線２行分の整数倍でずれ、表示される画像の位置を走査線１行単位で変更する微調整ができなかった。換言すると、従来の電気光学装置では、場合によって、高品位な画像表示を行いがたいという課題があった。
【課題を解決するための手段】
【０００６】
本発明は、前述の課題の少なくとも一部を解決する為になされたものであり、以下の形態又は適用例として実現する事が可能である。
【０００７】
（適用例１）  本適用例に係わる電子機器は、第一表示領域を備える第一電気光学装置と、第二表示領域を備える第二電気光学装置と、第一表示領域に表示される第一画像の表示位置と第二表示領域に表示される第二画像の表示位置とを制御する制御装置と、第一画像と第二画像とを合成する合成装置とを有し、第一電気光学装置は、第一表示領域に配置されたｍ1本の走査線（ｍ1は３以上の整数）と、ｍ1本の走査線をｋ本ずつ順番に選択するライングループ走査（ｋは２以上の整数）を実行する第一走査線駆動回路を含み、第二電気光学装置は、第二表示領域に配置されたｍ2本の走査線（ｍ2は３以上の整数）と、ｍ2本の走査線をｋ本ずつ順番に選択するライングループ走査を実行する第二走査線駆動回路を含み、制御装置は、第一走査線駆動回路に、第一スタートパルス信号と、第一スタートパルス信号をシフトするために用いられる第一クロック信号と、第一クロック信号によりシフトされた信号と論理合成される第一イネイブル信号とを供給し、第二走査線駆動回路に、第二スタートパルス信号と、第二スタートパルス信号をシフトするために用いられる第二クロック信号と、第二クロック信号によりシフトされた信号と論理合成される第二イネイブル信号とを供給する供給部と、第二画像の表示位置を走査線１本分ずらす場合に、第二スタートパルス信号の位相を、ライングループ走査の１水平走査期間の半分ずらし、第二クロック信号の位相を、ライングループ走査の１水平走査期間の半分ずらし、第二イネイブル信号の位相を、ライングループ走査の１水平走査期間分ずらす制御部と、を備えることを特徴とする。
ライングループ走査では、高精細な画像を高速度で表示する事ができる。加えて、この構成によれば、第一電気光学装置と第二電気光学装置とが複数行の走査線を同時に選択するライングループ走査を行っても、第一電気光学装置が形成する画像の位置と第二電気光学装置が形成する画像の位置とを、走査線１行単位で変更する事ができる。換言すると、ライングループ走査を用いて高精細な画像を高速度で表示する際にも、表示画像位置の微調整が可能で、高品位な画像表示を行う事ができる。
【０００８】
（適用例２）  上記適用例に係わる電子機器において、制御装置は、少なくとも設定値を記憶する記憶回路を有し、制御部は、設定値により位相を制御する事が好ましい。
この構成によれば、第一電気光学装置が形成する画像の位置に対する第二電気光学装置が形成する画像の位置を設定値として記憶する事ができる。
【０００９】
（適用例３）  上記適用例に係わる電子機器において、第一スタートパルス信号と、第一クロック信号と、第一イネイブル信号と、第二スタートパルス信号と、第二クロック信号と、第二イネイブル信号とは複数の出力パターンを有し、制御装置は、設定値に応じて、複数の出力パターンから最適な出力パターンとなる制御信号を供給する事が好ましい。
この構成によれば、第一電気光学装置が形成する画像の位置と第二電気光学装置が形成する画像の位置とが最も接近する出力パターンを供給する事ができる。
【００１０】
（適用例４）  本適用例に係わる制御装置は、第一表示領域を備える第一電気光学装置と、第二表示領域を備える第二電気光学装置と、第一表示領域に表示される第一画像と第二表示領域に表示される第二画像とを合成する合成装置とを有し、第一電気光学装置は、第一表示領域に配置されたｍ1本の走査線（ｍ1は３以上の整数）と、ｍ1本の走査線をｋ本ずつ順番に選択するライングループ走査（ｋは２以上の整数）を実行する第一走査線駆動回路を含み、第二電気光学装置は、第二表示領域に配置されたｍ2本の走査線（ｍ2は３以上の整数）と、ｍ2本の走査線をｋ本ずつ順番に選択するライングループ走査を実行する第二走査線駆動回路を含む電子機器に用いられ、第一画像の表示位置と第二画像の表示位置とを制御する制御装置であって、制御装置は、第一走査線駆動回路に、第一スタートパルス信号と、第一スタートパルス信号をシフトするために用いられる第一クロック信号と、第一クロック信号によりシフトされた信号と論理合成される第一イネイブル信号とを供給し、第二走査線駆動回路に、第二スタートパルス信号と、第二スタートパルス信号をシフトするために用いられる第二クロック信号と、第二クロック信号によりシフトされた信号と論理合成される第二イネイブル信号とを供給する供給部と、第二画像の表示位置を走査線１本分ずらす場合に、第二スタートパルス信号の位相を、ライングループ走査の１水平走査期間の半分ずらし、第二クロック信号の位相を、ライングループ走査の１水平走査期間の半分ずらし、第二イネイブル信号の位相を、ライングループ走査の１水平走査期間分ずらす制御部と、を備えることを特徴とする。
ライングループ走査では、高精細な画像を高速度で表示する事ができる。加えて、この構成によれば、第一電気光学装置と第二電気光学装置とが複数行の走査線を同時に選択するライングループ走査を行っても、第一電気光学装置が形成する画像の位置と第二電気光学装置が形成する画像の位置とを、走査線１行単位で変更する事ができる。換言すると、ライングループ走査を用いて高精細な画像を高速度で表示する際にも、表示画像位置の微調整が可能で、高品位な画像表示を行う事ができる。
【００１１】
（適用例５）  本適用例に係わる電子機器の駆動方法は、第一表示領域を備える第一電気光学装置と、第二表示領域を備える第二電気光学装置と、第一表示領域に表示される第一画像の表示位置と第二表示領域に表示される第二画像の表示位置とを制御する制御装置と、第一画像と第二画像とを合成する合成装置とを有し、第一電気光学装置は、第一表示領域に配置されたｍ1本の走査線（ｍ1は３以上の整数）と、ｍ1本の走査線をｋ本ずつ順番に選択するライングループ走査（ｋは２以上の整数）を実行する第一走査線駆動回路を含み、第二電気光学装置は、第二表示領域に配置されたｍ2本の走査線（ｍ2は３以上の整数）と、ｍ2本の走査線をｋ本ずつ順番に選択するライングループ走査を実行する第二走査線駆動回路を含む電子機器の駆動方法であって、第一走査線駆動回路に、第一スタートパルス信号と、第一スタートパルス信号をシフトするために用いられる第一クロック信号と、第一クロック信号によりシフトされた信号と論理合成される第一イネイブル信号とを供給し、第二走査線駆動回路に、第二スタートパルス信号と、第二スタートパルス信号をシフトするために用いられる第二クロック信号と、第二クロック信号によりシフトされた信号と論理合成される第二イネイブル信号とを供給し、第二画像の表示位置を走査線１本分ずらす場合に、第二スタートパルス信号の位相を、ライングループ走査の１水平走査期間の半分ずらし、第二クロック信号の位相を、ライングループ走査の１水平走査期間の半分ずらし、第二イネイブル信号の位相を、ライングループ走査の１水平走査期間分ずらすことを特徴とする。
ライングループ走査では、高精細な画像を高速度で表示する事ができる。加えて、この方法によれば、第一電気光学装置と第二電気光学装置とが複数行の走査線を同時に選択するライングループ走査を行っても、第一電気光学装置が形成する画像の位置と第二電気光学装置が形成する画像の位置とを、走査線１行単位で変更する事ができる。換言すると、ライングループ走査を用いて高精細な画像を高速度で表示する際にも、表示画像位置の微調整が可能で、高品位な画像表示を行う事ができる。
【００１２】
（適用例６）  本適用例に係わる電気光学装置の駆動方法は、第一電気光学装置と第二電気光学装置とには制御信号が供給され、第一電気光学装置と第二電気光学装置とは、一枚のフレーム画像を第一フィールド画像と第二フィールド画像とで形成し、第一電気光学装置は、ｍ1本の走査線を含む第一表示領域と（ｍ1は３以上の整数）、第一走査線駆動回路と、を有し、第一走査線駆動回路は、ｍ1本の走査線から２本の走査線を２本毎に選択するラインペア走査を実行する回路を含み、第二電気光学装置は、ｍ2本の走査線を含む第二表示領域と（ｍ2は３以上の整数）、第二走査線駆動回路と、を有し、第二走査線駆動回路は、ｍ2本の走査線から２本の走査線を２本毎に選択するラインペア走査を実行する回路を含み、制御信号は、第一走査線駆動回路に供給される第一スタートパルス信号と、第一走査線駆動回路に供給される第一クロック信号と、第一走査線駆動回路に供給される第一イネイブル信号と、第二走査線駆動回路に供給される第二スタートパルス信号と、第二走査線駆動回路に供給される第二クロック信号と、第二走査線駆動回路に供給される第二イネイブル信号と、を含み、第一スタートパルス信号と第二スタートパルス信号とは、ラインペア走査の水平走査期間の半分の整数倍だけ時間的にずれ、第一クロック信号と第二クロック信号とは、同一の周期で、位相が異なっており、第一イネイブル信号と第二イネイブル信号とは異なっており、第一フィールド画像と第二フィールド画像とはラインペア走査を用いて形成され、第一フィールド画像は、フレーム画像の奇数行の画像信号を用いて形成された画像（奇数画像）か、フレーム画像の偶数行の画像信号を用いて形成された画像（偶数画像）かであり、第二フィールド画像は、第一フィールド画像が奇数画像の際には偶数画像であり、第一フィールド画像が偶数画像の際には奇数画像であり、第一フィールド画像形成時におけるラインペア走査と第二フィールド画像形成時におけるラインペア走査とでは、走査線が一行ずれている事を特徴とする。
ラインペア走査を第一フィールド画像と第二フィールド画像の形成に利用すると、高精細な画像を高速度で表示する事ができる。加えて、この方法によれば、第一電気光学装置と第二電気光学装置とが二行の走査線を同時に選択するラインペア走査を行っても、第一電気光学装置が形成する画像の位置と第二電気光学装置が形成する画像の位置とを、走査線１行単位で変更する事ができる。換言すると、ラインペア走査を用いて高精細な画像を高速度で表示する際にも、表示画像位置の微調整が可能で、高品位な画像表示を行う事ができる。又、この方法を三次元表示に用いると明るい表示を実現する事ができる。
【００１３】
（適用例７）  本適用例に係わる電気光学装置の駆動方法は、第一電気光学装置と第二電気光学装置とには制御信号が供給され、第一電気光学装置と第二電気光学装置とは、一枚のフレーム画像を第一フィールド画像と第二フィールド画像とで形成し、第一電気光学装置は、ｍ1本の走査線を含む第一表示領域と（ｍ1は３以上の整数）、第一走査線駆動回路と、を有し、第一走査線駆動回路は、ｍ1本の走査線から２本の走査線を２本毎に選択するラインペア走査と、ｍ1本の走査線から１本の走査線を２本毎に選択する飛び越し走査とを、実行する回路を含み、第二電気光学装置は、ｍ2本の走査線を含む第二表示領域と（ｍ2は３以上の整数）、第二走査線駆動回路と、を有し、第二走査線駆動回路は、ｍ2本の走査線から２本の走査線を２本毎に選択するラインペア走査と、ｍ2本の走査線から１本の走査線を２本毎に選択する飛び越し走査とを、実行する回路を含み、制御信号は、第一走査線駆動回路に供給される第一スタートパルス信号と、第一走査線駆動回路に供給される第一クロック信号と、第一走査線駆動回路に供給される第一イネイブル信号と、第二走査線駆動回路に供給される第二スタートパルス信号と、第二走査線駆動回路に供給される第二クロック信号と、第二走査線駆動回路に供給される第二イネイブル信号と、を含み、ラインペア走査時に、第一スタートパルス信号と第二スタートパルス信号とは、ラインペア走査の水平走査期間の半分の整数倍だけ時間的にずらされ、ラインペア走査時に、第一クロック信号と第二クロック信号とは、同一の周期で、位相が異なっており、ラインペア走査時に、第一イネイブル信号と第二イネイブル信号とは、異ならされており、第一フィールド画像はラインペア走査を用いて形成され、第二フィールド画像は飛び越し走査を用いて形成され、第一フィールド画像は、フレーム画像の奇数行の画像信号を用いて形成された画像（奇数画像）か、フレーム画像の偶数行の画像信号を用いて形成された画像（偶数画像）かであり、第二フィールド画像は、第一フィールド画像が奇数画像の際には偶数画像であり、第一フィールド画像が偶数画像の際には奇数画像である事を特徴とする。
ラインペア走査を第一フィールド画像の形成に利用し、飛び越し走査を第二フィールド画像の形成に利用すると、高精細な画像を高速度で表示する事ができる。加えて、この方法によれば、第一電気光学装置と第二電気光学装置とが二行の走査線を同時に選択するラインペア走査を行っても、第一電気光学装置が形成する画像の位置と第二電気光学装置が形成する画像の位置とを、走査線１行単位で変更する事ができる。換言すると、ラインペア走査を用いて高精細な画像を高速度で表示する際にも、表示画像位置の微調整が可能で、高品位な画像表示を行う事ができる。又、この方法を三次元表示に用いると明るい表示を実現する事ができる。
【図面の簡単な説明】
【００１４】
【図１】電子機器の一例である投射型表示装置の模式図。
【図２】電子機器の回路構成図。
【図３】各画素回路の回路図。
【図４】走査線駆動回路の回路構成図。
【図５】電気光学装置による表示ずれを説明する図。
【図６】電気的アライメントを説明する図。
【図７】第一電気光学装置に供給される制御信号と表示画像とを説明する図。
【図８】第二電気光学装置に供給される制御信号と表示画像とを説明する図。
【図９】第一電気光学装置に供給される制御信号と表示画像とを説明する図。
【図１０】第二電気光学装置に供給される制御信号と表示画像とを説明する図。
【図１１】電子機器を用いて三次元画像を表示する方法を説明する図。
【図１２】順次走査を行う際に電気光学装置に供給される制御信号を説明する図。
【図１３】実施形態２にて第一電気光学装置に供給される制御信号と表示画像とを説明する図。
【図１４】実施形態２にて第二電気光学装置に供給される制御信号と表示画像とを説明する図。
【図１５】実施形態２にて電子機器を用いて三次元画像を表示する方法を説明する図。
【発明を実施するための形態】
【００１５】
以下、本発明の実施形態について、図面を参照して説明する。尚、以下の各図においては、各層や各部材を認識可能な程度の大きさにするため、各層や各部材の尺度を実際とは異ならせしめている。
【００１６】
（実施形態１）
「電子機器の概要」
図１は、電子機器の一例である投射型表示装置（３板式のプロジェクター）の模式図である。以下、図１を参照して電子機器の構成を説明する。
【００１７】
電子機器（投射型表示装置１０００）は、第一電気光学装置（以下第一パネル２０１と略称する）と、第二電気光学装置（以下第二パネル２０２と略称する）と、これら第一電気光学装置と第二電気光学装置とに制御信号を供給する制御装置３０と、を少なくとも有している。本実施形態に係わる電子機器は、更に第三電気光学装置（以下第三パネル２０３と略称する）を有し、制御装置３０は、第三電気光学装置にも制御信号を供給する。第一パネル２０１と第二パネル２０２と第三パネル２０３とは、相異なる表示色（赤色や緑色、青色）に対応する３個の電気光学装置２０（図２参照）である。以下、特に第一パネル２０１と第二パネル２０２と第三パネル２０３とを区別する必要がなければ、これらを纏めて単に電気光学装置２０と称する。
【００１８】
照明光学系１１００は、照明装置（光源）１２００からの出射光のうち赤色成分ｒを第一パネル２０１に供給し、緑色成分ｇを第二パネル２０２に供給し、青色成分ｂを第三パネル２０３に供給する。各電気光学装置２０は、照明光学系１１００から供給される各色光を表示画像に応じて変調する光変調器（ライトバルブ）として機能する。投射光学系１３００は、各電気光学装置２０からの出射光を合成して投射面１４００に投射する。
【００１９】
「電子機器の回路構成」
図２は、電子機器の回路構成図である。次に、図２を参照して電子機器の回路構成を説明する。
【００２０】
本実施形態に係わる電子機器は、観察者に立体感を知覚させる立体視画像をフレームシーケンシャル方式で表示する事ができる。図２に示す様に、電子機器は立体視用眼鏡１０と電気光学装置２０と制御装置３０とを具備する。
【００２１】
立体視用眼鏡１０は、電気光学装置２０が表示する立体視画像の視認時に観察者が装着する眼鏡型の器具であり、観察者の右眼の前方に位置する右眼用シャッター１２と左眼の前方に位置する左眼用シャッター１４とを含んで構成される。右眼用シャッター１２及び左眼用シャッター１４の各々は、照射光を透過させる開状態と照射光を遮断する閉状態とに制御される。例えば印加電圧に応じた液晶の配向方向に応じて開状態及び閉状態の一方から他方に変化する液晶シャッターが右眼用シャッター１２及び左眼用シャッター１４として採用され得る。
【００２２】
電気光学装置２０は、複数の画素回路４８が配列された表示領域４２と、各画素回路４８を駆動する駆動回路４４とを具備する。表示領域４２には、相交差する複数本の走査線４６２と複数本の信号線４６４とが形成される。尚、走査線４６２の内でｉ行目の走査線４６２を特定する際には、走査線Ｇｉと表記する。各画素回路４８は、走査線４６２と信号線４６４との各交差に対応して行列状に配列される。第一電気光学装置（第一パネル２０１）では、ｍ1本の走査線４６２とｎ1本の信号線４６４とを含む第一表示領域４２１（図５参照）と（ｍ1は３以上の整数、ｎ1は１以上の整数）、第一走査線駆動回路と、が形成されている。同様に、第二電気光学装置（第二パネル２０２）では、ｍ2本の走査線４６２とｎ2本の信号線４６４とを含む第二表示領域４２２（図５参照）と（ｍ2は３以上の整数、ｎ2は１以上の整数）、第二走査線駆動回路と、が形成され、第三電気光学装置（第三パネル２０３）では、ｍ3本の走査線４６２とｎ3本の信号線４６４とを含む第三表示領域と（ｍ3は３以上の整数、ｎ3は１以上の整数）、第三走査線駆動回路と、が形成されている。ｍ1とｍ2とｍ3とは互いに異なった数値でも良いが、本実施形態では、これらは等しく、ｍ1＝ｍ2＝ｍ3＝ｍとされている。又、ｎ1とｎ2とｎ3とは互いに異なった数値でも良いが、本実施形態では、これらは等しく、ｎ1＝ｎ2＝ｎ3＝ｎとされている。従って、本実施形態では、第一表示領域４２１と第二表示領域４２２と第三表示領域とは同じ構成となり、図２では表示領域４２と記載されている。以下、第一表示領域４２１と第二表示領域４２２と第三表示領域とを特に区別する必要がない場合には、単に表示領域４２と記述する。又、本実施形態では、第一走査線駆動回路と第二走査線駆動回路と第三走査線駆動回路とは同じ構成となり、図２では走査線駆動回路４４１と記載されている。以下、第一走査線駆動回路と第二走査線駆動回路と第三走査線駆動回路とを特に区別する必要がない場合には、単に走査線駆動回路４４１と記述する。
【００２３】
駆動回路４４は、各走査線４６２に走査信号を出力する事により各走査線４６２を順次に選択する走査線駆動回路４４１と、走査線４６２の選択に同期してｎ本（ｎは１以上の整数）の信号線４６４の各々に画像信号Ｖｉｊを供給する信号線駆動回路４４３とを含んで構成される。ここで、ｉは１からｍ迄の整数で、ｊは１からｎまでの整数である。ｉ行ｊ列に位置する画素回路４８には画像信号Ｖｉｊが供給される。
【００２４】
制御装置３０は、立体視用眼鏡１０を制御する眼鏡制御回路３１と、電気光学装置２０を制御する表示制御回路３２と、少なくとも設定値を記憶する記憶回路３３と、を含んで構成される。後述する様に、本実施形態では、画像表示が可能な表示領域４２の一部に、実際に画像が表示される画像領域が設けられる。各電気光学装置２０において、表示領域４２のどの部分に画像領域が設けられるか、を設定値として記憶回路３３は記憶する。制御装置は、更に、表示制御回路３２に不図示の供給部と不図示の制御部とを備えている。尚、眼鏡制御回路３１と表示制御回路３２と記憶回路３３とを単体の集積回路に搭載した構成や、或いは、これらの回路の二つを単体の集積回路に搭載した構成や、表示制御回路３２と眼鏡制御回路３１と記憶回路３３とを別体の集積回路に分散した構成が採用され得る。
【００２５】
「画素回路の構成」
図３は、各画素回路の回路図である。次に、図３を参照して画素回路４８の構成を説明する。
【００２６】
図３に示す様に、各画素回路４８は、液晶素子ＣＬと選択スイッチ４８７とを含んで構成される。液晶素子ＣＬは、相対向する画素電極４８１及び共通電極４８３と両電極間の液晶４８５とで構成された電気光学素子である。画素電極４８１と共通電極４８３との間の印加電圧に応じて液晶４８５を通過する光の透過率が変化する。
【００２７】
選択スイッチ４８７は、走査線４６２にゲートが接続されたＮチャネル型の薄膜トランジスターで構成され、液晶素子ＣＬと信号線４６４との間に介在して両者の電気的な接続（導通／非導通）を制御する。従って、画素回路４８（液晶素子ＣＬ）は、選択スイッチ４８７がオン状態に制御されたときの信号線４６４の電位（画像信号Ｖｉｊ）に応じた階調を表示する。尚、液晶素子ＣＬに対して並列に接続される補助容量等の図示は省略されている。
【００２８】
「走査線駆動回路」
図４は、走査線駆動回路の回路構成図である。次に、図４を参照して走査線駆動回路４４１の構成を説明する。
【００２９】
第一走査線駆動回路は、ｍ1本の走査線４６２から１本の走査線４６２を１本毎に選択する順次走査を実行すると共に、ｍ1本の走査線４６２からｋ本の走査線４６２をｋ本毎に選択するライングループ走査（ｋは２以上の整数）を実行でき、更に、ｍ1本の走査線４６２から１本の走査線４６２を２本毎に選択する飛び越し走査をも、実行する回路を含んでいる。同様に、第二走査線駆動回路は、ｍ2本の走査線４６２から１本の走査線４６２を１本毎に選択する順次走査を実行すると共に、ｍ2本の走査線４６２からｋ本の走査線４６２をｋ本毎に選択するライングループ走査（ｋは２以上の整数）を実行でき、更に、ｍ2本の走査線４６２から１本の走査線４６２を２本毎に選択する飛び越し走査をも、実行する回路を含んでいる。又、第三走査線駆動回路は、ｍ3本の走査線４６２から１本の走査線４６２を１本毎に選択する順次走査を実行すると共に、ｍ3本の走査線４６２からｋ本の走査線４６２をｋ本毎に選択するライングループ走査（ｋは２以上の整数）を実行でき、更に、ｍ3本の走査線４６２から１本の走査線４６２を２本毎に選択する飛び越し走査をも、実行する回路を含んでいる。ｋ＝２とされた際には、２本の走査線４６２を２本毎に選択するので、ラインペア走査と称する。
【００３０】
順次走査とは、走査線４６２を１本ずつ順に選択する走査方法で、例えば、Ｇ１、Ｇ２、Ｇ３、と一本ずつ順番に選択して行く。ラインペア走査とは、例えば、Ｇ１とＧ２とのラインペア、Ｇ３とＧ４とのラインペア、Ｇ５とＧ６とのラインペア、と走査線４６２をペアにして順次選択して行く。ライングループ走査とは、例えばｋ＝３であれば、Ｇ１とＧ２とＧ３の３本のライングループ、Ｇ４とＧ５とＧ６の３本のライングループ、Ｇ７とＧ８とＧ９の３本のライングループ、と走査線４６２をｋ本のグループにして順次選択して行く。飛び越し走査とは、走査線４６２を１本おきに飛び越して、順に選択する走査方法で、例えば、Ｇ２、Ｇ４、Ｇ６、と選択して行く。
【００３１】
制御装置３０の供給部から電気光学装置２０に供給される制御信号は、第一走査線駆動回路に供給される第一スタートパルス信号と、第一走査線駆動回路に供給される第一クロック信号と、第一走査線駆動回路に供給される第一イネイブル信号と、第二走査線駆動回路に供給される第二スタートパルス信号と、第二走査線駆動回路に供給される第二クロック信号と、第二走査線駆動回路に供給される第二イネイブル信号と、第三走査線駆動回路に供給される第三スタートパルス信号と、第三走査線駆動回路に供給される第三クロック信号と、第三走査線駆動回路に供給される第三イネイブル信号と、を含んでいる。第一クロック信号は第一スタートパルス信号をシフトする為に用いられ、第二クロック信号は第二スタートパルス信号をシフトする為に用いられる。又、第一クロック信号によりシフトされた信号と第一イネイブル信号とが論理合成され、第二クロック信号によりシフトされた信号と第二イネイブル信号とが論理合成される。尚、上述の如く、第一走査線駆動回路に供給される制御信号には「第一」との枕詞が付けられ、第二走査線駆動回路に供給される制御信号には「第二」との枕詞が付けられ、第三走査線駆動回路に供給される制御信号には「第三」との枕詞が付けられるが、以下では、説明を簡略とする為にこれらの枕詞が省略される事もある。例えば、「第一パネル２０１に供給されるスタートパルス信号ＤＹ」などと記載されている場合、これは第一スタートパルス信号を意味する。
【００３２】
図４は、上述の様々な走査方法を可能とする回路構成の一例を示している。尚、以下の説明では、第一スタートパルス信号と第二スタートパルス信号と第三スタートパルス信号とをスタートパルス信号ＤＹと称する。又、第一クロック信号と第二クロック信号と第三クロック信号とをクロック信号ＣＬＹと称する。更に、第一イネイブル信号と第二イネイブル信号と第三イネイブル信号とをイネイブル信号と称する。イネイブル信号には、イネイブル１信号ＥＮＢＹ１と、イネイブル２信号ＥＮＢＹ２と、イネイブル３信号ＥＮＢＹ３と、イネイブル４信号ＥＮＢＹ４と、の４種類がある。
【００３３】
走査線駆動回路４４１は、信号生成回路１００と、走査線４６２の本数に相当するｍ個の第二ＡＮＤ回路１３０とを具備する。信号生成回路１００は、ｍ段のシフトレジスター１１０とｍ個の第一ＡＮＤ回路１２０とを具備する。シフトレジスター１１０には表示制御回路３２からスタートパルス信号ＤＹやクロック信号ＣＬＹ等が供給される。
【００３４】
シフトレジスター１１０は、クロック信号ＣＬＹに同期してスタートパルス信号ＤＹを順次に転送する事で転送パルスＱ１、Ｑ２、・・・、Ｑｍを出力する。第ｉ番目（ｉ＝１〜ｍ）の第一ＡＮＤ回路１２０は、前段の転送パルスＱｉ−１（第１番目の第一ＡＮＤ回路１２０においてはスタートパルス信号ＤＹ）と自段の転送パルスＱｉとの論理積を制御パルスＲｉとして出力する。即ち、信号生成回路１００は、供給されたスタートパルス信号ＤＹとクロック信号ＣＬＹとに基づいて、ｍ系統の制御パルスＲ１、Ｒ２、・・・、Ｒｍを順次に出力する。第ｉ番目の第二ＡＮＤ回路１３０は、信号生成回路１００から出力された制御パルスＲｉと、表示制御回路３２から供給されるイネイブルｐ信号ＥＮＢＹｐ（ｐは１から４の整数の内のいずれか一つ）との論理積を、走査信号として第ｉ行の走査線Ｇｉに出力する。相隣接する４個を単位としてｍ個の第二ＡＮＤ回路１３０を複数（ｍ／４個）の集合に区分した場合、各集合における第ｐ番目（ｐ＝１〜４）の第二ＡＮＤ回路１３０にイネイブルｐ信号ＥＮＢＹｐが供給される。こうした回路構成を為す事で、順次走査やラインペア走査、ライングループ走査、飛び越し走査などを行う事ができる。
【００３５】
「電気的アライメント」
図５は、電気光学装置による表示ずれを説明する図である。又、図６は、電気的アライメントを説明する図である。次に、図５と６とを参照して電気光学装置２０による表示画像の電気的アライメント方法を説明する。
【００３６】
図５（ａ）は、第一電気光学装置における第一表示領域４２１と、第一画像領域４１１と、第一画像領域４１１に表示された第一画像４３１と、の関係を示し、図５（ｂ）は、第二電気光学装置における第二表示領域４２２と、第二画像領域４１２と、第二画像領域４１２に表示された第二画像４３２と、の関係を示し、図５（ｃ）はこれらの電気光学装置２０を用いて電子機器により、投射面１４００に合成された画像を示している。電子機器は第一画像４３１と第二画像４３２と不図示の第三画像とを合成する合成装置を有する。具体的には、投射光学系１３００が合成装置に相当する。電子機器では複数枚（本実施形態では三枚）の電気光学装置２０が用いられるが、説明を分かり易くする為に、以下では第一パネル２０１と第二パネル２０２とを用いて、表示画像の電気的アライメント方法を説明する。この際に第一パネル２０１を基準とし、これに第二パネル２０２を合わせる例を以て説明する。三枚以上の電気光学装置２０が用いられる電子機器でも以下の説明と同じ方法が適応される。
【００３７】
表示領域（第一表示領域４２１や第二表示領域４２２、第三表示領域）は、電気光学装置２０（第一電気光学装置や第二電気光学装置、第三電気光学装置）で画像を表示する事が可能な領域である。一方、画像領域（第一画像領域４１１や第二画像領域４１２、第三画像領域）は、表示領域内で実際に画像が表示される領域である。従って、表示領域は画像領域よりも大きく、表示領域の画素数は画像領域の画素数もよりも多い。具体的には、表示領域の縦の画素数を画像領域の縦の画素数よりも８の整数倍だけ多くし、表示領域の横の画素数を画像領域の横の画素数よりも８の整数倍だけ多くするのが好ましい。こうすると、信号処理が容易となるからである。例えば、本実施形態では、画像領域が縦１０８０画素×横１９２０画素のフルハイビジョン画像に対応しているので、表示領域は縦１０８８画素×横１９３６画素となっている。言い換えると、第一表示領域４２１と第二表示領域４２２と第三表示領域とには、ｍ1＝ｍ2＝ｍ3＝ｍ＝１０８８本の走査線４６２と、ｎ1＝ｎ2＝ｎ3＝ｎ＝１９３６本の信号線４６４と、が設けられており、各表示領域内に縦１０８０画素×横１９２０画素のフルハイビジョン画像が表示される。
【００３８】
今、図５（ａ）に示す第一表示領域４２１内における第一画像領域４１１の位置関係が、図５（ｂ）に示す第二表示領域４２２内における第二画像領域４１２の位置関係と同じであるとする。これらを電子機器にて投射面１４００に投影して合成した結果、図５（ｃ）に示す様に、第二表示領域４２２に対応する第二投影表示領域１４２２が、第一表示領域４２１に対応する第一投影表示領域１４２１に対して、上にずれていたとする。この場合、第二画像領域４１２に対応する第二投影画像領域１４１２も、第一画像領域４１１に対応する第一投影画像領域１４１１に対して上にずれるので、第一画像４３１と第二画像４３２とを重ねた投影画像１４３０にはずれが生じて、投射面１４００では正確な画像が形成されない。
【００３９】
こうした場合の補正方法が図６を用いて説明する電気的アライメントである。図６（ａ）は、第一電気光学装置における第一表示領域４２１と、第一画像領域４１１と、第一画像領域４１１に表示された第一画像４３１と、の関係を示している。図６（ｂ）は、第二電気光学装置における第二表示領域４２２と、電気的アライメントが行われた後の第二画像領域４１２と、第二画像領域４１２に表示された第二画像４３２と、の関係を示している。図６（ｃ）はこれらの電気光学装置２０を用いて電子機器により、投射面１４００に合成された画像を示している。図５（ｃ）に示す様に、第二投影表示領域１４２２が第一投影表示領域１４２１に対して上にずれている場合、図６（ｂ）に示す様に、第二表示領域４２２内における第二画像領域４１２の位置を、制御信号を用いて、下にずらす。こうすると、図６（ｃ）に示す様に、第一投影画像領域１４１１と第二投影画像領域１４１２とがほぼ一致させられるので、第一画像４３１と第二画像４３２とを重ねた投影画像１４３０のずれは最小となる。これが電気的アライメントで、これにより正確な画像が投射面１４００に形成される。上下方向に関する電気的アライメントでは、走査線１行単位で画像領域の位置を調整できる事が好ましい。以下、この方法を詳述する。
【００４０】
「制御信号」
図７は、第一電気光学装置に供給される制御信号と表示画像とを説明する図である。又、図８は、第二電気光学装置に供給される制御信号と表示画像とを説明する図である。次に、図７と８とを参照して、ラインペア走査時の表示画像の電気的アライメント方法を説明する。尚、以下の説明では、第一パネル２０１を基準とし、第二パネル２０２の第二投影表示領域１４２２が第一投影表示領域１４２１に対して走査線１行分だけ上にずれており、第二表示領域４２２内における第二画像領域４１２の位置を走査線１行分だけ下にずらす例を以て説明する。
【００４１】
図７（ａ）は、制御装置３０が第一パネル２０１に、ライングループ走査（図７ではｋ＝２、従ってラインペア走査）を行わせる際に、供給する制御信号を示すタイミングチャートであり、図７（ｂ）と（ｃ）とはその際に走査線４６２に接続する画素回路４８に供給される信号の種類を説明している。
【００４２】
図７（ｂ）は奇数画像を表示する際に、各行毎に、信号線４６４に供給される画像信号を表している。奇数画像とは、元になる１フレームの画像（フレーム画像と称する、本実施形態では、縦１０８０画素×横１９２０画素のフルハイビジョン画像）の内から、奇数行の画像信号を用いて形成された画像である。言い換えると、フレーム画像から奇数行で表示されている画像を選び出した画像が、奇数画像である。本実施形態では、１フレーム画像の縦方向に１０８０画素あるので、フレーム画像の１行目の画像信号Ｖ１ｊや、フレーム画像の３行目の画像信号Ｖ３ｊや、フレーム画像の５行目の画像信号Ｖ５ｊ等、５４０行分の奇数行目の画像信号を用いて、奇数画像を形成する。その際に、図７（ｂ）に示す様に、同じ画像信号を隣り合う２本の走査線４６２に接続する画素回路４８に供給して行く。例えば、５行目の走査線Ｇ５と６行目の走査線Ｇ６とに接続する画素回路４８にフレーム画像の１行目の画像信号Ｖ１ｊを供給し、７行目の走査線Ｇ７と８行目の走査線Ｇ８とに接続する画素回路４８にフレーム画像の３行目の画像信号Ｖ３ｊを供給し、以下同様にして、１０８３行目の走査線Ｇ１０８３と１０８４行目の走査線Ｇ１０８４とに接続する画素回路４８にフレーム画像の１０７９行目の画像信号Ｖ１０７９ｊを供給する。尚、第一パネル２０１は基準パネルであるので、第一画像領域４１１の上下に走査線４本分の調整領域が設けられており、調整領域の画素回路４８には、黒信号Ｂｌａｃｋが供給されている。図７（ｂ）では、調整領域は、１行目の走査線Ｇ１から４行目の走査線Ｇ４までの走査線４６２に接続する画素回路４８と、ｍ−３行目の走査線Ｇｍ−３からｍ行目の走査線Ｇｍまでの走査線４６２に接続する画素回路４８と、が為す領域である。
【００４３】
図７（ｃ）は偶数画像を表示する際に、各行毎に、信号線４６４に供給される画像信号を表している。偶数画像とは、元になる１フレーム画像の内から、偶数行の画像信号を用いて形成された画像である。言い換えると、フレーム画像から偶数行で表示されている画像を選び出した画像が、偶数画像である。具体的には、フレーム画像の２行目の画像信号Ｖ２ｊや、フレーム画像の４行目の画像信号Ｖ４ｊや、フレーム画像の６行目の画像信号Ｖ６ｊ等、偶数行目の画像信号を用いて、偶数画像を形成する。その際に、図７（ｃ）に示す様に、同じ画像信号を隣り合う２本の走査線４６２に接続する画素回路４８に供給して行く。例えば、５行目の走査線Ｇ５と６行目の走査線Ｇ６とに接続する画素回路４８にフレーム画像の２行目の画像信号Ｖ２ｊを供給し、７行目の走査線Ｇ７と８行目の走査線Ｇ８とに接続する画素回路４８にフレーム画像の４行目の画像信号Ｖ４ｊを供給し、以下同様にして、１０８３行目の走査線Ｇ１０８３と１０８４行目の走査線Ｇ１０８４とに接続する画素回路４８にフレーム画像の１０８０行目の画像信号Ｖ１０８０ｊを供給する。先と同様、第一パネル２０１は基準パネルであるので、第一画像領域４１１の上下に走査線４本分の調整領域が設けられており、調整領域の画素回路４８には、黒信号Ｂｌａｃｋが供給されている。
【００４４】
上述の奇数画像や偶数画像を表示する為に制御装置３０が第一パネル２０１に提供する制御信号を説明するタイミングチャートが図７（ａ）である。電気光学装置２０でラインペア走査を行うと、上述の奇数画像や偶数画像を表示でき、制御装置３０はこれらを可能にする制御信号を作り出す事ができる。即ち、制御装置３０の制御部は、第二画像の表示位置を走査線１本分ずらす場合に、第二スタートパルス信号の位相を、ライングループ走査の１水平走査期間の半分ずらし、第二クロック信号の位相を、ライングループ走査の１水平走査期間の半分ずらし、第二イネイブル信号の位相を、ライングループ走査の１水平走査期間分ずらす。制御部は、記憶回路に記憶された設定値ｎい基づいて、第一スタートパルス信号や、第二スタートパルス信号、第三スタートパルス信号、第一クロック信号、第二クロック信号、第三クロック信号、等の各種信号の位相を制御する事ができる。図７（ａ）に示す様に、ｍ系統の制御パルスＲ１、Ｒ２、・・・、Ｒｍのうち相隣接する２系統は相互に重複する区間を有する。そして、相隣接する２系統の制御パルスＲが重複する期間内において、それらの制御パルスＲに対応する第二ＡＮＤ回路１３０の各々に供給されるイネイブル信号ＥＮＢＹが同時にアクティブレベルに設定される。例えば、制御パルスＲ１と制御パルスＲ２とが重複する期間においては、イネイブル１信号ＥＮＢＹ１及びイネイブル２信号ＥＮＢＹ２が同時にアクティブレベルに設定され、制御パルスＲ３と制御パルスＲ４とが重複する期間においては、イネイブル３信号ＥＮＢＹ３及びイネイブル４信号ＥＮＢＹ４が同時にアクティブレベルに設定される。こうして、相隣接する２本の走査線４６２に供給される走査信号が同時にアクティブレベルに設定され、ラインペア走査が実現する。
【００４５】
図８（ａ）は、制御装置３０が第二パネル２０２に、ライングループ走査（図８ではｋ＝２、従ってラインペア走査）を行わせる際に、供給する制御信号を示すタイミングチャートであり、図８（ｂ）と（ｃ）とはその際に走査線４６２に接続する画素回路４８に供給される信号の種類を説明している。
【００４６】
図８（ｂ）は第二パネル２０２に奇数画像を表示する際に、各行毎に、信号線４６４に供給される画像信号を表している。第二パネル２０２の第二表示領域４２２内における第二画像領域４１２の位置を、第一パネル２０１の第一表示領域４２１内における第一画像領域４１１の位置関係に対して、走査線１行分だけ下にずらす。この条件で第二パネル２０２に奇数画像を表示する際には、図８（ｂ）に示す様に、第二画像領域４１２の上に走査線５本分の調整領域を設け、第二画像領域４１２の下に走査線３本分の調整領域を設け、調整領域の画素回路４８には、黒信号Ｂｌａｃｋを供給する。図８（ｂ）では、調整領域は、１行目の走査線Ｇ１から５行目の走査線Ｇ５までの走査線４６２に接続する画素回路４８と、ｍ−２行目の走査線Ｇｍ−２からｍ行目の走査線Ｇｍまでの走査線４６２に接続する画素回路４８と、が為す領域である。調整領域以外の第二画素領域内では、先と同様に、同じ画像信号を隣り合う２本の走査線４６２に接続する画素回路４８に供給して行く。例えば、６行目の走査線Ｇ６と７行目の走査線Ｇ７とに接続する画素回路４８にフレーム画像の１行目の画像信号Ｖ１ｊを供給し、８行目の走査線Ｇ８と９行目の走査線Ｇ９とに接続する画素回路４８にフレーム画像の３行目の画像信号Ｖ３ｊを供給し、以下同様にして、１０８４行目の走査線Ｇ１０８４と１０８５行目の走査線Ｇ１０８５とに接続する画素回路４８にフレーム画像の１０７９行目の画像信号Ｖ１０７９ｊを供給する。
【００４７】
図８（ｃ）は第二パネル２０２に偶数画像を表示する際に、各行毎に、信号線４６４に供給される画像信号を表している。先と同様、第二画像領域４１２が第一画像領域４１１に対して走査線１行分だけ下にずれているので、第二画像領域４１２の上に走査線５本分の調整領域が設けられ、第二画像領域４１２の下に走査線３本分の調整領域が設けられ、調整領域の画素回路４８には、黒信号Ｂｌａｃｋが供給されている。この状態で、図８（ｃ）に示す様に、同じ画像信号を隣り合う２本の走査線４６２に接続する画素回路４８に供給して行く。例えば、６行目の走査線Ｇ６と７行目の走査線Ｇ７とに接続する画素回路４８にフレーム画像の２行目の画像信号Ｖ２ｊを供給し、８行目の走査線Ｇ８と９行目の走査線Ｇ９とに接続する画素回路４８にフレーム画像の４行目の画像信号Ｖ４ｊを供給し、以下同様にして、１０８４行目の走査線Ｇ１０８４と１０８５行目の走査線Ｇ１０８５とに接続する画素回路４８にフレーム画像の１０８０行目の画像信号Ｖ１０８０ｊを供給する。
【００４８】
上述の奇数画像や偶数画像を表示する為に制御装置３０が第二パネル２０２に提供する制御信号を説明するタイミングチャートが図８（ａ）である。言い換えると、第二パネル２０２でラインペア走査を行う際に、第二表示領域４２２内における第二画像領域４１２の位置を走査線１行分だけ下にずらす制御信号である。
【００４９】
制御装置３０は、第一スタートパルス信号（図７（ａ）のＤＹ）と第二スタートパルス信号（図８（ａ）のＤＹ）とを、ライングループ走査の水平走査期間の半分の整数倍だけ時間的にずらす事ができる。図８（ａ）の走査線Ｇ１から走査線Ｇｍに供給される信号を見れば分かる様に、ライングループ走査の水平走査期間はクロック信号ＣＬＹの一周期である。従って、水平走査期間の半分とはクロック信号ＣＬＹの半周期であり、制御装置３０は第一スタートパルス信号に対して、第二スタートパルス信号をクロック信号ＣＬＹの半周期の整数倍だけ前後にずらす事ができる。実際に、第二スタートパルス信号（図８（ａ）のＤＹ）は、第一スタートパルス信号（図７（ａ）のＤＹ）に対してクロック信号ＣＬＹの半周期の１倍遅れている。尚、クロック信号ＣＬＹの周期は、走査方法に応じて異ならせる事ができる。具体的には、順次走査の際のクロック信号ＣＬＹの周期を１とした場合、ラインペア走査（ｋ＝２のライングループ走査）の際のクロック信号ＣＬＹの周期は１／２となり（周波数は２倍となり）、ｋ本のライングループ走査の際のクロック信号ＣＬＹの周期は１／ｋとなる（周波数はｋ倍となる）。同様に、水平走査期間も走査方法に応じて異ならせる事ができる。先と同様に、順次走査の際の水平走査期間を基準とした場合、ラインペア走査（ｋ＝２のライングループ走査）の際の水平走査期間は、順次走査の際の水平走査期間の１／２倍となり、ｋ本のライングループ走査の際の水平走査期間は、順次走査の際の水平走査期間の１／ｋ倍となる。
【００５０】
更に、制御装置３０は、第一クロック信号（図７（ａ）のＣＬＹ）と第二クロック信号（図８（ａ）のＣＬＹ）とを同一の周期とし、位相を異ならせる事ができる。実際に、第二クロック信号（図８（ａ）のＣＬＹ）は、第一クロック信号（図７（ａ）のＣＬＹ）に対して、同一の周期で、位相が１８０°ずれている。即ち、第二クロック信号（図８（ａ）のＣＬＹ）は、第一クロック信号（図７（ａ）のＣＬＹ）に対して、同一の周期で、水平走査期間の半分の整数倍（図７と図８とでは、１倍）だけ時間的にずらされている。この結果、第一クロック信号（図７（ａ）のＣＬＹ）がアクティブレベル（高電位）にある時に、第二クロック信号（図８（ａ）のＣＬＹ）は非アクティブレベル（低電位）にあり、第一クロック信号（図７（ａ）のＣＬＹ）が非アクティブレベル（低電位）にある時に、第二クロック信号（図８（ａ）のＣＬＹ）はアクティブレベル（高電位）にある。
【００５１】
更に、制御装置３０は、第一イネイブル信号（図７（ａ）のＥＮＢＹ１やＥＮＢＹ２、ＥＮＢＹ３、ＥＮＢＹ４）と第二イネイブル信号（図８（ａ）のＥＮＢＹ１やＥＮＢＹ２、ＥＮＢＹ３、ＥＮＢＹ４）とを異ならせる事ができる。具体的には、制御装置３０は制御信号を供給する電気光学装置２０毎にイネイブル信号のアクティブになるタイミングを変える事ができる。制御装置３０は、第二イネイブル信号の位相を、第一イネイブル信号の位相に対して、ライングループ走査の１水平走査期間分ずらす事ができる。言い換えると、制御装置３０は、イネイブル１信号ＥＮＢＹ１とイネイブル２信号ＥＮＢＹ２とイネイブル３信号ＥＮＢＹ３とイネイブル４信号ＥＮＢＹ４とで、アクティブレベル（高電位）状態を任意に設定できる。実際に、第一イネイブル信号（図７（ａ）のＥＮＢＹ１やＥＮＢＹ２、ＥＮＢＹ３、ＥＮＢＹ４）では、イネイブル１信号ＥＮＢＹ１とイネイブル２信号ＥＮＢＹ２とがペアとなり、イネイブル３信号ＥＮＢＹ３とイネイブル４信号ＥＮＢＹ４とがペアとなり、それぞれのペアで同じ信号で有ったが、第二イネイブル信号（図８（ａ）のＥＮＢＹ１やＥＮＢＹ２、ＥＮＢＹ３、ＥＮＢＹ４）では、イネイブル１信号ＥＮＢＹ１とイネイブル４信号ＥＮＢＹ４とがペアとなり、イネイブル２信号ＥＮＢＹ２とイネイブル３信号ＥＮＢＹ３とがペアとなっている。この場合、イネイブル１信号ＥＮＢＹ１とイネイブル３信号ＥＮＢＹ３とは、第一イネイブル信号と第二イネイブル信号とで同じであるが、第二イネイブル信号のイネイブル２信号ＥＮＢＹ２とイネイブル４信号ＥＮＢＹ４とは、第一イネイブル信号のイネイブル２信号ＥＮＢＹ２とイネイブル４信号ＥＮＢＹ４とに対して、位相がライングループ走査の１水平走査期間分ずらされている。
【００５２】
こうした制御信号の結果、第一パネル２０１におけるラインペア走査と第二パネル２０２におけるラインペア走査とでは、ペアとなる走査線４６２が一行ずれ、ラインペア走査で第二表示領域４２２内における第二画像領域４１２の位置を走査線１行分だけ下にずらす事ができる。これに加えて、図８（ｂ）や図８（ｃ）に示す画像信号を行に応じてずらす事で電気的アライメントが行われる。一般に第二表示領域４２２内における第二画像領域４１２の位置を走査線２ｑ−１行（ｑはゼロや正負を含む整数）分だけずらすには、制御装置３０は、第二スタートパルス信号以外の信号を図８（ａ）と同じにし、第一スタートパルス信号（図７（ａ）のＤＹ）に対して、第二スタートパルス信号を、ライングループ走査の水平走査期間の半分（クロック信号ＣＬＹの半周期）の２ｑ−１倍だけ時間的にずらした制御信号を供給する。又、第二表示領域４２２内における第二画像領域４１２の位置を走査線２ｑ行（ｑはゼロや正負を含む整数）分だけずらすには、制御装置３０は、第二スタートパルス信号以外の信号を図７（ａ）と同じにし、第一スタートパルス信号（図７（ａ）のＤＹ）に対して、第二スタートパルス信号を、ライングループ走査の水平走査期間の半分（クロック信号ＣＬＹの半周期）の２ｑ倍だけ時間的にずらした制御信号を供給する。
【００５３】
図７（ａ）や図８（ａ）に示される様に、制御信号は複数の出力パターンを有している。制御装置３０は、設定値に応じて、複数の出力パターンから最適な出力パターンとなる制御信号を各電気光学装置２０に供給する。例えば、本実施形態が示す様に、第一パネル２０１には図７（ａ）に示される出力パターン（制御信号の形態）を供給し、第二パネル２０２には図８（ａ）に示される出力パターンを供給して、電気的アライメントを取る事ができる。こうする事で、第一電気光学装置が形成する画像の位置と第二電気光学装置が形成する画像の位置とが最も接近する出力パターンを、制御装置３０は、供給する事ができる。
【００５４】
「高精細画像の形成１」
図９は、第一電気光学装置に供給される制御信号と表示画像とを説明する図である。図１０は、第二電気光学装置に供給される制御信号と表示画像とを説明する図である。次に、図９と図１０とを参照して、ラインペア走査を用いた高精細画像の表示を説明する。
【００５５】
高精細画像を形成する第一の方法として、一枚のフレーム画像が第一フィールド画像と第二フィールド画像とを少なくとも含んで形成される方法を説明する。ここではラインペア走査とずらしラインペア走査とが行われる。図９（ａ）は、制御装置３０が第一パネル２０１に、ライングループ走査（図９ではｋ＝２、従ってラインペア走査）を行って第二フィールド画像を表示する際に、供給する制御信号を示すタイミングチャートである。又、図９（ｂ）は第一パネル２０１に第一フィールド画像を表示する際に、走査線４６２に接続する画素回路４８に供給される信号の種類を説明している。又、図９（ｃ）は第一パネル２０１に第二フィールド画像を表示する際に、走査線４６２に接続する画素回路４８に供給される信号の種類を説明している。第一フィールド画像と第二フィールド画像とはラインペア走査を用いて形成される。
【００５６】
ラインペア走査を用いて高精細画像を高速で表示するには、第一フィールドで奇数画像を表示し、第二フィールドで偶数画像を表示する。奇数画像と偶数画像とでは、図９（ｂ）と図９（ｃ）とを比較すると判る様に、第一画像領域４１１が走査線１行分だけずらされている。第一フィールドの第一画像領域４１１に対して、第二フィールドの第二画像領域４１２が走査線１行分ずらされたラインペア走査を、ずらしラインペア走査と称する。
【００５７】
まず、第一フィールドで奇数画像を表示するには、図９（ｂ）に示す様に、図７（ｂ）と同じラインペア走査が行われる。第一画像領域４１１の位置も同時に選択される走査線４６２の組み合わせも図７（ｂ）と同じであるので、第一フィールドで第一パネル２０１の走査線駆動回路に供給される制御信号は図７（ａ）と同じになる。
【００５８】
第二フィールドでは、ずらしラインペア走査を用いて、偶数画像が表示される。図９（ｃ）に示す様に、第一フィールドにおけるラインペア走査と第二フィールドにおけるラインペア走査（ずらしラインペア走査）とでは、組み合わされる走査線４６２が一行ずれている。図９（ｂ）に示す様に、第一フィールドでは５行目の走査線Ｇ５と６行目の走査線Ｇ６とが同時に選択され、以下同様に、７行目の走査線Ｇ７と８行目の走査線Ｇ８とが同時に選択されて行く。これに対して、図９（ｃ）に示す様に、第二フィールドでは、第一フィールドでの走査線４６２の組み合わせに対して一行ずれた６行目の走査線Ｇ６と７行目の走査線Ｇ７とが同時に選択され、以下同様に、８行目の走査線Ｇ８と９行目の走査線Ｇ９とが同時に選択されて行く。第二フィールドでの表示は図８（ｃ）と同じとなる。従って、第一パネル２０１の走査線駆動回路に供給される制御信号は図８（ａ）と同じで、図９（ａ）となる。
【００５９】
第二画像領域４１２が第一画像領域４１１に対してずれている場合には、先と同様に第二パネル２０２へ提供する制御信号を変更する。以下、第二画像領域４１２が第一画像領域４１１に対して走査線１行分程度下にずれている場合を例に取り、表示方法を説明する。
【００６０】
図１０（ａ）は、制御装置３０が第二パネル２０２に、ライングループ走査（図１０ではｋ＝２、従ってラインペア走査）を行って第二フィールド画像を表示する際に、供給する制御信号を示すタイミングチャートである。又、図１０（ｂ）は第二パネル２０２に第一フィールド画像を表示する際に、走査線４６２に接続する画素回路４８に供給される信号の種類を説明している。又、図１０（ｃ）は第二パネル２０２に第二フィールド画像を表示する際に、走査線４６２に接続する画素回路４８に供給される信号の種類を説明している。
【００６１】
第一フィールドで第二パネル２０２に奇数画像を表示するには、図１０（ｂ）に示す様に、図８（ｂ）と同じラインペア走査が行われる。画像領域の位置も同時に選択される走査線４６２の組み合わせも図８（ａ）と同じであるので、第一フィールドで第二パネル２０２の走査線駆動回路に供給される制御信号は図８（ａ）と同じになる。
【００６２】
第二フィールドでは、第二パネル２０２に偶数画像が表示される。図１０（ｃ）に示す様に、第一フィールドにおけるラインペア走査と第二フィールドにおけるラインペア走査とでは、組み合わされる走査線４６２が一行ずれている。又、第二フィールドでの表示は画像信号の種類を除いて図７（ｃ）と同じとなる。第二フィールドにおける第二画像領域４１２は図７（ｃ）に示す第一画像領域４１１を走査線２行分ずらした形態となる。従って、第二パネル２０２の走査線駆動回路に供給される制御信号は図７（ａ）と同じで、図１０（ａ）となる。
【００６３】
尚、第二フィールド画像は、第一フィールド画像が奇数画像の際には偶数画像であり、第一フィールド画像が偶数画像の際には奇数画像である。従って、上述の例とは反対に第一フィールドで偶数画像を表示し、第二フィールドで奇数画像を表示しても良い。
【００６４】
この様に、ラインペア走査を第一フィールド画像と第二フィールド画像の形成に利用すると、高精細な画像を高速度で表示する事ができる。加えて、この方法によれば、第一電気光学装置と第二電気光学装置とが二行の走査線４６２を同時に選択するラインペア走査を行っても、第一電気光学装置が形成する画像の位置と第二電気光学装置が形成する画像の位置とを、走査線１行単位で変更する事ができる。換言すると、ラインペア走査を用いて高精細な画像を高速度で表示する際にも、表示画像位置の微調整が可能で、高品位な画像表示を行う事ができる。
【００６５】
「三次元画像表示」
図１１は、電子機器を用いて三次元画像を表示する方法を説明する図である。次に、図１１を参照して、上述の高精細画像表示を用いた三次元画像表示を説明する。
【００６６】
上述した高精細画像表示は三次元画像表示に適応できる。三次元画像を表示するには、図１１に示す様に、右目用のフレーム画像ＧＲと左目用のフレーム画像ＧＬとを二枚ずつ交互に表示する。即ち、立体視画像を表示する為に、制御装置３０の表示制御回路３２は、相互に視差が付与された右目用のフレーム画像ＧＲと左目用のフレーム画像ＧＬとを時分割で表示する様に電気光学装置２０を制御する。二枚のフレーム画像を表示する期間を単位期間Ｕと称し、右目用のフレーム画像ＧＲを２回表示する期間が右単位期間ＵＲであり、左目用のフレーム画像ＧＬを２回表示する期間が左単位期間ＵＬである。右単位期間ＵＲと左単位期間ＵＬとは交互に設定される。二枚のフレーム画像は第一フィールド画像と第二フィールド画像と第三フィールド画像と第四フィールド画像とからなる。第一フィールド画像は第一フィールド期間１−ｆｉｅｌｄに形成され、第二フィールド画像は第二フィールド期間２−ｆｉｅｌｄに形成され、第三フィールド画像は第三フィールド期間３−ｆｉｅｌｄに形成され、第四フィールド画像は第四フィールド期間４−ｆｉｅｌｄに形成される。第一フィールド画像と第三フィールド画像とは同じ奇数画像であり、第二フィールド画像と第四フィールド画像とは同じ偶数画像である。右単位期間ＵＲの第一フィールド期間１−ｆｉｅｌｄと第三フィールド期間３−ｆｉｅｌｄとに、右目用のフレーム画像ＧＲの奇数画像ＧＲＯが形成され、右単位期間ＵＲの第二フィールド期間２−ｆｉｅｌｄと第四フィールド期間４−ｆｉｅｌｄとに、右目用のフレーム画像ＧＲの偶数画像ＧＲＥが形成される。同様に、左単位期間ＵＬの第一フィールド期間１−ｆｉｅｌｄと第三フィールド期間３−ｆｉｅｌｄとに、左目用のフレーム画像ＧＬの奇数画像ＧＬＯが形成され、左単位期間ＵＬの第二フィールド期間２−ｆｉｅｌｄと第四フィールド期間４−ｆｉｅｌｄとに、左目用のフレーム画像ＧＬの偶数画像ＧＬＥが形成される。右単位期間ＵＲの第一フィールド期間１−ｆｉｅｌｄでは、直前の左単位期間ＵＬの第四フィールド期間４−ｆｉｅｌｄで表示されていた左目用のフレーム画像ＧＬが右目用のフレーム画像ＧＲに書き換えられ、左単位期間ＵＬの第一フィールド期間１−ｆｉｅｌｄでは、直前の右単位期間ＵＲの第四フィールド期間４−ｆｉｅｌｄで表示されていた右目用のフレーム画像ＧＲが左目用のフレーム画像ＧＬに書き換えられる。
【００６７】
表示制御回路３２は、各フィールド期間に書き込みモードを選択して、駆動回路４４を適宜制御する。書き込みモードには、ラインペア走査ＬＰとずらしラインペア走査ＳＬＰとが含まれ、第一フィールド画像と第三フィールド画像とは、ラインペア走査ＬＰにて形成される。又、第二フィールド画像と第四フィールド画像とは、ずらしラインペア走査ＳＬＰにて形成される。
【００６８】
制御装置３０は、眼鏡制御回路３１を介して、右単位期間ＵＲの第二フィールド期間２−ｆｉｅｌｄから第四フィールド期間４−ｆｉｅｌｄ迄の間に右目用シャッターを開き、それ以外の期間に右目用シャッターを閉じる。同様に、制御装置３０は、眼鏡制御回路３１を介して、左単位期間ＵＬの第二フィールド期間２−ｆｉｅｌｄから第四フィールド期間４−ｆｉｅｌｄ迄の間に左目用シャッターを開き、それ以外の期間に左目用シャッターを閉じる。こうする事で右単位期間ＵＲの３／８の期間で右目用シャッターを開ける事ができ、又、左単位期間ＵＬの３／８の期間で左目用シャッターを開ける事できる。従って、三次元表示で、明るい表示を実現する事ができると共に、電気的アライメントを走査線１行単位で調整でき、第一投影画像領域１４１１と第二投影画像領域１４１２とがほぼ一致させられるので、第一画像４３１と第二画像４３２とを重ねた投影画像１４３０のずれが最小となる。
【００６９】
尚、上述の説明とは反対に、第一フィールド画像と第三フィールド画像とを偶数画像とし、第二フィールド画像と第四フィールド画像とを奇数画像としても良い。
【００７０】
「順次走査」
図１２は、順次走査を行う際に電気光学装置に供給される制御信号を説明する図で、（ａ）は第一電気光学装置に供給される制御信号を表し、（ｂ）は第二電気光学装置に供給される制御信号を表している。次に、図１２を参照して、順次走査を用いた画像表示を説明する。
【００７１】
順次走査とは、走査線４６２を一行毎に順次選択する走査方法である。即ち、１行目の走査線Ｇ１を選択した後に、２行目の走査線Ｇ２を選択し、次に３行目の走査線Ｇ３を選択する、という様に走査線４６２を一行毎に順次選択するのが順次走査である。順次走査を実行する為に、第一走査線駆動回路は、ｍ1本の走査線４６２から１本の走査線４６２を１本毎に選択する順次走査を実行する回路を含み、第二走査線駆動回路は、ｍ2本の走査線４６２から１本の走査線４６２を１本毎に選択する順次走査を実行する回路を含み、第三走査線駆動回路は、ｍ3本の走査線４６２から１本の走査線４６２を１本毎に選択する順次走査を実行する回路を含む。こうした走査線駆動回路は図４と同じ構成で、制御装置３０が供給する制御信号が変えられる。
【００７２】
図１２（ａ）は、制御装置３０が第一パネル２０１に、順次走査を行ってフレーム画像を表示する際に、供給する制御信号を示すタイミングチャートである。又、図１２（ｂ）は、制御装置３０が第二パネル２０２に、順次走査を行ってフレーム画像を表示する際に、供給する制御信号を示すタイミングチャートである。制御装置３０はこれらの制御信号を作り出す事ができる。尚、以下でも第二画像領域４１２が第一画像領域４１１に対してずれている場合を想定し、先と同様に第一パネル２０１を基準とし、第二パネル２０２へ提供する制御信号（図１２（ｂ））を第一パネル２０１へ提供する制御信号から変更する例を以て、表示方法を説明する。
【００７３】
第一パネル２０１で順次走査を行うには、図４に示す走査線駆動回路に、図１２（ａ）に示す制御信号を供給する。スタートパルス信号ＤＹがアクティブレベル（高電位）にある期間をクロック信号ＣＬＹの半周期より長く一周期よりも短くし、且つこの期間内にクロック信号ＣＬＹの遷移期間（クロック信号ＣＬＹが非アクティブレベル（低電位）からアクティブレベル（高電位）に遷移する期間、又はアクティブレベル（高電位）から非アクティブレベル（低電位）に遷移する期間）を２つ含むようにすると、転送パルスＱ１、Ｑ２、・・・、Ｑｍがアクティブレベル（高電位）にある期間はクロック信号ＣＬＹの一周期分となる。この為に、制御パルスＲ１、Ｒ２、・・・、Ｒｍがアクティブレベル（高電位）にある期間はクロック信号ＣＬＹの半周期分となる。イネイブルｐ信号ＥＮＢＹｐ（ｐは１から４の整数）がアクティブレベル（高電位）にある期間をクロック信号ＣＬＹの半周期より短くする。その上で、イネイブルｐ信号ＥＮＢＹｐがアクティブレベル（高電位）にある期間を、順番に各制御パルスＲ１、Ｒ２、・・・、Ｒｍがアクティブレベルにある期間内に設定すると、走査線４６２への選択信号が隣接する走査線４６２同士で干渉することなく分離され、１行目の走査線Ｇ１から２行目の走査線Ｇ２、３行目の走査線Ｇ３、４行目の走査線Ｇ４、と順次選択されて行く。こうした制御信号を制御装置３０が供給する事で、第一パネル２０１に順次走査が実現する。
【００７４】
第二パネル２０２で順次走査を行い、第二画像領域４１２を第一画像領域４１１に対して走査線１行分ずらすには、図４に示す走査線駆動回路に、図１２（ｂ）に示す制御信号を供給する。一般に、第二画像領域４１２を第一画像領域４１１に対して走査線ｑ行分ずらすには、第二パネル２０２に供給する（図１２（ｂ）に記載の）第二スタートパルス信号ＤＹと第二イネイブルｐ信号ＥＮＢＹｐとを、第一パネル２０１に供給する（図１２（ａ）に記載の）第一スタートパルス信号ＤＹと第一イネイブルｐ信号ＥＮＢＹｐに対して、クロック信号ＣＬＹの半周期のｑ倍時間的にずらし、且つ、第二パネル２０２に供給する（図１２（ｂ）に記載の）第二クロック信号ＣＬＹを、第一パネル２０１に供給する（図１２（ａ）に記載の）第一クロック信号ＣＬＹに対して、位相を１８０°のｑ倍ずらす。実際に、図１２（ｂ）の第二スタートパルス信号ＤＹと第二イネイブルｐ信号ＥＮＢＹｐとは、図１２（ａ）の第一スタートパルス信号ＤＹと第一イネイブルｐ信号ＥＮＢＹｐとに対して、クロック信号ＣＬＹの半周期の１倍時間的にずれており、図１２（ｂ）の第二クロック信号ＣＬＹは図１２（ａ）の第一クロック信号ＣＬＹに対して位相が１８０°ずれている。この様にして、順次走査でも画像領域の位置を走査線１行分ずつ微調整する事ができる。
【００７５】
（実施形態２）
「高精細画像の形成２」
図１３は、実施形態２にて第一電気光学装置に供給される制御信号と表示画像とを説明する図である。図１４は、実施形態２にて第二電気光学装置に供給される制御信号と表示画像とを説明する図である。次に、図１３と図１４とを参照して、ラインペア走査と飛び越し走査とを用いた高精細画像の表示を説明する。尚、実施形態１と同一の構成部位については、同一の符号を附し、重複する説明は省略する。
【００７６】
本実施形態は実施形態１と比べて高精細画像を形成する方法が異なっている。それ以外の構成は、実施形態１とほぼ同様である。実施形態１（図９、図１０）では、高精細画像を形成する第一の方法として、ラインペア走査とずらしラインペア走査とが用いられていた。これに対し、本実施形態（図１３、図１４）では、高精細画像を形成する第二の方法として、ラインペア走査と飛び越し走査とが用いられる。実施形態１と同様に、一枚のフレーム画像は第一フィールド画像と第二フィールド画像とを少なくとも含んで形成される。
【００７７】
図１３（ａ）は、制御装置３０が基準パネルとなる第一パネル２０１に、飛び越し走査を行って第二フィールド画像を表示する際に、供給する制御信号を示すタイミングチャートである。又、図１３（ｂ）は第一パネル２０１に第一フィールド画像を表示する際に、走査線４６２に接続する画素回路４８に供給される信号の種類を説明する図である。又、図１３（ｃ）は第一パネル２０１に第二フィールド画像を表示する際に、走査線４６２に接続する画素回路４８に供給される信号の種類を説明する図である。第一フィールド画像はラインペア走査を用いて形成され、第二フィールド画像は飛び越し走査を用いて形成される。
【００７８】
本実施形態でも、第一フィールドで奇数画像を表示し、第二フィールドで奇数画像の半分を偶数画像に書き換える例を以て表示方法を説明する。飛び越し走査とは、図１３（ｃ）に示されている様に、フィールド画像形成時に走査線４６２が一行おきに選択され、選択された走査線４６２に接続する画素回路４８で画像信号が書き換えられる表示方法である。図１３（ｃ）では、奇数行目の走査線４６２は選択されず、偶数行目の走査線４６２に接続する画素回路４８に画像信号が供給されている。
【００７９】
まず、第一フィールドで奇数画像を表示するには、図１３（ｂ）に示す様に、図７（ｂ）と同じラインペア走査が行われる。第一画像領域４１１の位置も同時に選択される走査線４６２の組み合わせも図７（ｂ）と同じであるので、第一フィールドで第一パネル２０１の走査線駆動回路に供給される制御信号は図７（ａ）と同じになる。
【００８０】
第二フィールドでは、飛び越し走査を用いて、奇数画像の半分に偶数画像が書き換えられる。即ち、図１３（ｃ）に示す様に、第二フィールドにおける飛び越し走査は、第一フィールドにおけるラインペア走査でペアとなった走査線４６２の一方の走査線４６２に接続する画素回路４８を書き換える。例えば、図１３（ｂ）に示す様に、第一フィールドで、５行目の走査線Ｇ５と６行目の走査線Ｇ６とに接続する画素回路４８にフレーム画像の１行目の画像信号Ｖ１ｊが供給され、７行目の走査線Ｇ７と８行目の走査線Ｇ８とに接続する画素回路４８にフレーム画像の３行目の画像信号Ｖ３ｊが供給され、以下同様にして、１０８３行目の走査線Ｇ１０８３と１０８４行目の走査線Ｇ１０８４とに接続する画素回路４８にフレーム画像の１０７９行目の画像信号Ｖ１０７９ｊが供給される。次に、図１３（ｃ）に示す様に、第二フィールドで、６行目の走査線Ｇ６に接続する画素回路４８にフレーム画像の２行目の画像信号Ｖ２ｊを供給し、８行目の走査線Ｇ８に接続する画素回路４８にフレーム画像の４行目の画像信号Ｖ４ｊを供給し、以下同様にして、１０８４行目の走査線Ｇ１０８４に接続する画素回路４８にフレーム画像の１０８０行目の画像信号Ｖ１０８０ｊを供給する。この際に、第二フィールドで奇数行目の走査線４６２は選択されないので、奇数行目の走査線４６２に接続する画素回路４８では、第一フィールドで供給された画像信号が維持されている。
【００８１】
上述した様に、第一走査線駆動回路は、ｍ1本の走査線４６２から２本の走査線４６２を２本毎に選択するラインペア走査と、ｍ1本の走査線４６２から１本の走査線４６２を２本毎に選択する飛び越し走査とを、実行する回路を含み、同様に、第二走査線駆動回路は、ｍ2本の走査線４６２から２本の走査線４６２を２本毎に選択するラインペア走査と、ｍ2本の走査線４６２から１本の走査線４６２を２本毎に選択する飛び越し走査とを、実行する回路を含み、第三走査線駆動回路は、ｍ3本の走査線４６２から２本の走査線４６２を２本毎に選択するラインペア走査と、ｍ3本の走査線４６２から１本の走査線４６２を２本毎に選択する飛び越し走査を、実行する回路を含む。こうした走査線駆動回路は実施形態１の図４と同じ構成で、制御装置３０が供給する制御信号が変えられる。
【００８２】
図１３（ａ）は、走査線駆動回路に飛び越し走査を行わせる制御信号を示している。電気光学装置２０で飛び越し走査を行うと、上述の偶数画像（又は奇数画像）を走査線１行おきに表示でき、制御装置３０はこれらを可能にする制御信号を作り出す事ができる。図１３（ａ）に示す様に、ｍ系統の制御パルスＲ１、Ｒ２、・・・、Ｒｍのうち相隣接する２系統は相互に重複する区間を有する。そして、相隣接する２系統の制御パルスＲが重複する期間内において、それらの制御パルスＲに対応する第二ＡＮＤ回路１３０の各々に供給されるイネイブル信号ＥＮＢＹの一つがアクティブレベルに設定される。例えば、制御パルスＲ１と制御パルスＲ２とが重複する期間においては、イネイブル２信号ＥＮＢＹ２がアクティブレベルに設定され、２行目の走査線Ｇ２が選択される。同様に、制御パルスＲ３と制御パルスＲ４とが重複する期間においては、イネイブル４信号ＥＮＢＹ４がアクティブレベルに設定され、４行目の走査線Ｇ４が選択される。即ち、イネイブル１信号ＥＮＢＹ１とイネイブル３信号ＥＮＢＹ３とは、非アクティブ状態で、イネイブル２信号ＥＮＢＹ２とイネイブル４信号ＥＮＢＹ４とは、クロック信号ＣＬＹの一周期毎に交互にアクティブとなる。こうして走査線４６２に供給される走査信号は一行おきにアクティブレベルに設定され、飛び越し走査が実現する。
【００８３】
第二画像領域４１２が第一画像領域４１１に対してずれている場合には、先と同様に第二パネル２０２へ提供する制御信号を変更する。以下、第二画像領域４１２が第一画像領域４１１に対して走査線１行分程度下にずれている場合を例に取り、表示方法を説明する。
【００８４】
図１４（ａ）は、制御装置３０が第二パネル２０２に、飛び越し走査を行って第二フィールド画像を表示する際に、供給する制御信号を示すタイミングチャートである。又、図１４（ｂ）は第二パネル２０２に第一フィールド画像を表示する際に、走査線４６２に接続する画素回路４８に供給される信号の種類を説明する図である。又、図１４（ｃ）は第二パネル２０２に第二フィールド画像を表示する際に、走査線４６２に接続する画素回路４８に供給される信号の種類を説明する図である。
【００８５】
第一フィールドで第二パネル２０２に奇数画像を表示するには、図１４（ｂ）に示す様に、図８（ｂ）と同じラインペア走査が行われる。画像領域の位置も同時に選択される走査線４６２の組み合わせも図８（ａ）と同じであるので、第一フィールドで第二パネル２０２の走査線駆動回路に供給される制御信号は図８（ａ）と同じになる。
【００８６】
第二フィールドでは、第二パネル２０２の約半分に偶数画像が書き換えられる。図１４（ｃ）に示す様に、第二パネル２０２における飛び越し走査は、図１３（ｃ）に示す第一パネル２０１における飛び越し走査に対して、画像信号が走査線１行分ずれている。これは制御信号でイネイブル信号を変える事で実現される。制御装置３０はこれらを可能にする制御信号を作り出す事ができる。図１４（ａ）に示す様に、ｍ系統の制御パルスＲ１、Ｒ２、・・・、Ｒｍのうち相隣接する２系統は相互に重複する区間を有する。そして、相隣接する２系統の制御パルスＲが重複する期間内において、それらの制御パルスＲに対応する第二ＡＮＤ回路１３０の各々に供給されるイネイブル信号ＥＮＢＹの一つがアクティブレベルに設定される。例えば、制御パルスＲ１と制御パルスＲ２とが重複する期間においては、イネイブル１信号ＥＮＢＹ１がアクティブレベルに設定され、１行目の走査線Ｇ１が選択される。同様に、制御パルスＲ３と制御パルスＲ４とが重複する期間においては、イネイブル３信号ＥＮＢＹ３がアクティブレベルに設定され、３行目の走査線Ｇ３が選択される。即ち、イネイブル２信号ＥＮＢＹ２とイネイブル４信号ＥＮＢＹ４とは、非アクティブ状態で、イネイブル１信号ＥＮＢＹ１とイネイブル３信号ＥＮＢＹ３とは、クロック信号ＣＬＹの一周期毎に交互にアクティブとなる。こうして走査線４６２に供給される走査信号は一行おきに、而も第一パネル２０１に対して走査線１行分ずれて、アクティブレベルに設定され、飛び越し走査が実現する。
【００８７】
尚、第二フィールド画像は、第一フィールド画像が奇数画像の際には偶数画像であり、第一フィールド画像が偶数画像の際には奇数画像である。従って、上述の例とは反対に第一フィールドで偶数画像を表示し、第二フィールドで奇数画像を書き換えても良い。
【００８８】
この様に、ラインペア走査を第一フィールド画像の形成に用い、飛び越し走査を第二フィールド画像の形成に利用すると、高精細な画像を高速度で表示する事ができる。加えて、この方法によれば、第一電気光学装置と第二電気光学装置とがラインペア走査と飛び越し走査とを行っても、第一電気光学装置が形成する画像の位置と第二電気光学装置が形成する画像の位置とを、走査線１行単位で変更する事ができる。換言すると、ラインペア走査や飛び越し走査を用いて高精細な画像を高速度で表示する際にも、表示画像位置の微調整が可能で、高品位な画像表示を行う事ができる。
【００８９】
「三次元画像表示２」
図１５は、本実施形態にて電子機器を用いて三次元画像を表示する方法を説明する図である。次に、図１５を参照して、上述の高精細画像表示を用いた三次元画像表示を説明する。
【００９０】
上述した高精細画像表示は三次元画像表示に適応できる。三次元画像を表示するには、図１５に示す様に、右目用のフレーム画像ＧＲと左目用のフレーム画像ＧＬとを二枚ずつ交互に表示する。即ち、立体視画像を表示する為に、制御装置３０の表示制御回路３２は、相互に視差が付与された右目用のフレーム画像ＧＲと左目用のフレーム画像ＧＬとを時分割で表示する様に電気光学装置２０を制御する。二枚のフレーム画像を表示する期間を単位期間Ｕと称し、右目用のフレーム画像ＧＲを２回表示する期間が右単位期間ＵＲであり、左目用のフレーム画像ＧＬを２回表示する期間が左単位期間ＵＬである。右単位期間ＵＲと左単位期間ＵＬとは交互に設定される。二枚のフレーム画像は第一フィールド画像と第二フィールド画像と第三フィールド画像と第四フィールド画像とからなる。第一フィールド画像は第一フィールド期間１−ｆｉｅｌｄに形成され、第二フィールド画像は第二フィールド期間２−ｆｉｅｌｄに形成され、第三フィールド画像は第三フィールド期間３−ｆｉｅｌｄに形成され、第四フィールド画像は第四フィールド期間４−ｆｉｅｌｄに形成される。第一フィールド画像と第三フィールド画像とは同じ奇数画像であり、第二フィールド画像と第四フィールド画像とでは同じ偶数画像を書き込む。右単位期間ＵＲの第一フィールド期間１−ｆｉｅｌｄと第三フィールド期間３−ｆｉｅｌｄとに、右目用のフレーム画像ＧＲの奇数画像ＧＲＯが形成され、右単位期間ＵＲの第二フィールド期間２−ｆｉｅｌｄと第四フィールド期間４−ｆｉｅｌｄとに、右目用のフレーム画像ＧＲの偶数画像ＧＲＥが形成される。同様に、左単位期間ＵＬの第一フィールド期間１−ｆｉｅｌｄと第三フィールド期間３−ｆｉｅｌｄとに、左目用のフレーム画像ＧＬの奇数画像ＧＬＯが形成され、左単位期間ＵＬの第二フィールド期間２−ｆｉｅｌｄと第四フィールド期間４−ｆｉｅｌｄとに、左目用のフレーム画像ＧＬの偶数画像ＧＬＥが形成される。右単位期間ＵＲの第一フィールド期間１−ｆｉｅｌｄでは、直前の左単位期間ＵＬの第四フィールド期間４−ｆｉｅｌｄで表示されていた左目用のフレーム画像ＧＬが右目用のフレーム画像ＧＲに書き換えられ、左単位期間ＵＬの第一フィールド期間１−ｆｉｅｌｄでは、直前の右単位期間ＵＲの第四フィールド期間４−ｆｉｅｌｄで表示されていた右目用のフレーム画像ＧＲが左目用のフレーム画像ＧＬに書き換えられる。
【００９１】
表示制御回路３２は、各フィールド期間に書き込みモードを選択して、駆動回路４４を適宜制御する。書き込みモードには、ラインペア走査ＬＰと飛び越し走査Ｓｋｐとが含まれ、第一フィールド画像と第三フィールド画像とは、ラインペア走査ＬＰにて形成される。又、第二フィールド画像と第四フィールド画像とは、飛び越し走査Ｓｋｐにて形成される。
【００９２】
制御装置３０は、眼鏡制御回路３１を介して、右単位期間ＵＲの第二フィールド期間２−ｆｉｅｌｄから第四フィールド期間４−ｆｉｅｌｄ迄の間に右目用シャッターを開き、それ以外の期間に右目用シャッターを閉じる。同様に、制御装置３０は、眼鏡制御回路３１を介して、左単位期間ＵＬの第二フィールド期間２−ｆｉｅｌｄから第四フィールド期間４−ｆｉｅｌｄ迄の間に左目用シャッターを開き、それ以外の期間に左目用シャッターを閉じる。こうする事で右単位期間ＵＲの３／８の期間で右目用シャッターを開ける事ができ、又、左単位期間ＵＬの３／８の期間で左目用シャッターを開ける事できる。従って、三次元表示で、明るい表示を実現する事ができると共に、電気的アライメントを走査線１行単位で調整でき、第一投影画像領域１４１１と第二投影画像領域１４１２とがほぼ一致させられるので、第一画像４３１と第二画像４３２とを重ねた投影画像１４３０のずれが最小となる。
【００９３】
尚、上述の説明とは反対に、第一フィールド画像と第三フィールド画像とを偶数画像とし、第二フィールド画像と第四フィールド画像とを奇数画像としても良い。
【００９４】
尚、本発明は上述した実施形態に限定されず、上述した実施形態に種々の変更や改良などを加えることが可能である。
【符号の説明】
【００９５】
１０…立体視用眼鏡、１２…右眼用シャッター、１４…左眼用シャッター、２０…電気光学装置、３０…制御装置、３１…眼鏡制御回路、３２…表示制御回路、３３…記憶回路、４２…表示領域、４４…駆動回路、４８…画素回路、１００…信号生成回路、１１０…シフトレジスター、１２０…第一ＡＮＤ回路、１３０…第二ＡＮＤ回路、２０１…第一パネル、２０２…第二パネル、２０３…第三パネル、４１１…第一画像領域、４１２…第二画像領域、４２１…第一表示領域、４２２…第二表示領域、４３１…第一画像、４３２…第二画像、４４１…走査線駆動回路、４４３…信号線駆動回路、４６２…走査線、４６４…信号線、４８１…画素電極、４８３…共通電極、４８５…液晶、４８７…選択スイッチ、１０００…投射型表示装置、１１００…照明光学系、１３００…投射光学系、１４００…投射面、１４１１…第一投影画像領域、１４１２…第二投影画像領域、１４２１…第一投影表示領域、１４２２…第二投影表示領域、１４３０…投影画像。
【図１】
2014081505.tif 000003
【図２】
2014081505.tif 000004
【図３】
2014081505.tif 000005
【図４】
2014081505.tif 000006
【図５】
2014081505.tif 000007
【図６】
2014081505.tif 000008
【図７】
2014081505.tif 000009
【図８】
2014081505.tif 000010
【図９】
2014081505.tif 000011
【図１０】
2014081505.tif 000012
【図１１】
2014081505.tif 000013
【図１２】
2014081505.tif 000014
【図１３】
2014081505.tif 000015
【図１４】
2014081505.tif 000016
【図１５】
2014081505.tif 000017